【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
第一の周波数感度特性を有する第一の音響波検出器と前記第一の周波数感度特性と異なる第二の周波数感度特性を有する第二の音響波検出器とによって、光が照射された被検体から発生する音響波を検出することにより得られた電気信号を処理する処理装置であって、
前記第一の周波数感度特性および前記第二の周波数感度特性の合計である第三の周波数感度特性に基づいて生成された補正関数を取得し、
前記補正関数に基づいて、前記第一の音響波検出器から出力された第一の電気信号及び前記第二の音響波検出器から出力された第二の電気信号を補正することにより、補正された前記第一及び第二の電気信号を生成する
ことを特徴とする処理装置。
【請求項２】
前記補正関数は、前記第三の周波数感度特性における周波数ごとの感度のばらつきが低減する関数である
ことを特徴とする請求項１に記載の処理装置。
【請求項３】
前記補正関数は、前記第三の周波数感度特性の周波数感度特性を平坦化する関数であることを特徴とする請求項１に記載の処理装置。
【請求項４】
前記補正関数は、前記第三の周波数感度特性において感度がある周波数帯域で、所定の閾値に対する感度の強度を一定の割合で減少させた関数である
ことを特徴とする請求項１に記載の処理装置。
【請求項５】
前記第一及び第二の電気信号を周波数領域に変換し、
周波数領域の前記補正関数に基づいて、周波数領域に変換された前記第一及び第二の電気信号を補正する
ことを特徴とする請求項１ないし４のいずれか１項に記載の処理装置。
【請求項６】
周波数領域の前記補正関数を時間領域に変換し、時間領域の前記補正関数に基づいて、前記第一及び第二の電気信号を補正する
ことを特徴とする請求項１ないし５のいずれか１項に記載の処理装置。
【請求項７】
前記第一および第二の電気信号に画像再構成を行うことにより画像データを生成する
ことを特徴とする請求項１ないし６のいずれか１項に記載の処理装置。
【請求項８】
第一の周波数感度特性を有する第一の音響波検出器と前記第一の周波数感度特性と異なる第二の周波数感度特性を有する第二の音響波検出器とによって、光が照射された被検体から発生する音響波を検出することにより得られた電気信号に基づいて生成された画像データを処理する処理装置であって、
前記第一の周波数感度特性および前記第二の周波数感度特性の合計である第三の周波数感度特性に基づいて作成された補正フィルタを取得し、
前記第一の音響波検出器から出力された第一の電気信号に基づいて生成された第一の画像データを取得し、
前記第二の音響波検出器から出力された第二の電気信号に基づいて生成された第二の画像データを取得し、
前記補正フィルタに基づいて、前記第一及び第二の画像データを補正することにより、補正された前記第一及び第二の画像データを生成する
ことを特徴とする処理装置。
【請求項９】
前記補正フィルタは、前記第三の周波数感度特性における周波数ごとの感度のばらつきが低減する関数を二次元または三次元の空間に変換して生成されたフィルタである
ことを特徴とする請求項８に記載の処理装置。
【請求項１０】
前記補正フィルタは、前記第三の周波数感度特性の周波数感度特性を平坦化する関数を二次元または三次元の空間に変換して生成されたフィルタである
ことを特徴とする請求項８に記載の処理装置。
【請求項１１】
前記補正フィルタは、前記第三の周波数感度特性において感度がある周波数帯域で、所定の閾値に対する感度の強度を一定の割合で減少させた関数を二次元または三次元の空間に変換して生成されたフィルタである
ことを特徴とする請求項８に記載の処理装置。
【請求項１２】
前記第一の周波数感度特性において感度がある周波数帯域と、前記第二の周波数感度特性において感度がある周波数帯域には重畳する部分がある
ことを特徴とする請求項１から１１のいずれか１項に記載の処理装置。
【請求項１３】
第一の周波数感度特性を有する第一の音響波検出器と前記第一の周波数感度特性と異なる第二の周波数感度特性を有する第二の音響波検出器とによって、光が照射された被検体から発生する音響波を検出することにより得られた電気信号を処理する処理方法であって、
前記第一の周波数感度特性および前記第二の周波数感度特性の合計である第三の周波数感度特性に基づいて生成された補正関数を取得し、
前記補正関数に基づいて、前記第一の音響波検出器から出力された第一の電気信号及び前記第二の音響波検出器から出力された第二の電気信号を補正することにより、補正された前記第一及び第二の電気信号を生成する
ことを特徴とする処理方法。
【請求項１４】
第一の周波数感度特性を有する第一の音響波検出器と前記第一の周波数感度特性と異なる第二の周波数感度特性を有する第二の音響波検出器とによって、光が照射された被検体から発生する音響波を検出することにより得られた電気信号に基づいて生成された画像デ
ータを処理する処理方法であって、
前記第一の周波数感度特性および前記第二の周波数感度特性の合計である第三の周波数感度特性に基づいて作成された補正フィルタを取得し、
前記第一の音響波検出器から出力された第一の電気信号に基づいて生成された第一の画像データを取得し、
前記第二の音響波検出器から出力された第二の電気信号に基づいて生成された第二の画像データを取得し、
前記補正フィルタに基づいて、前記第一及び第二の画像データを補正することにより、補正された前記第一及び第二の画像データを生成する
ことを特徴とする処理方法。
【請求項１５】
請求項１３または１４に記載の処理方法をコンピュータに実行させるためのプログラム。
【手続補正２】
【補正対象書類名】明細書
【補正対象項目名】発明の名称
【補正方法】変更
【補正の内容】
【発明の名称】処理装置および処理方法
【手続補正３】
【補正対象書類名】明細書
【補正対象項目名】０００１
【補正方法】変更
【補正の内容】
【０００１】
本発明は、処理装置および処理方法に関する。 
【手続補正４】
【補正対象書類名】明細書
【補正対象項目名】００１１
【補正方法】変更
【補正の内容】
【００１１】
本発明は以下の構成を採用する。すなわち、
第一の周波数感度特性を有する第一の音響波検出器と前記第一の周波数感度特性と異なる第二の周波数感度特性を有する第二の音響波検出器とによって、光が照射された被検体から発生する音響波を検出することにより得られた電気信号を処理する処理装置であって、
前記第一の周波数感度特性および前記第二の周波数感度特性の合計である第三の周波数感度特性に基づいて生成された補正関数を取得し、
前記補正関数に基づいて、前記第一の音響波検出器から出力された第一の電気信号及び前記第二の音響波検出器から出力された第二の電気信号を補正することにより、補正された前記第一及び第二の電気信号を生成する
ことを特徴とする処理装置である。
本発明はまた、以下の構成を採用する。すなわち、
第一の周波数感度特性を有する第一の音響波検出器と前記第一の周波数感度特性と異なる第二の周波数感度特性を有する第二の音響波検出器とによって、光が照射された被検体から発生する音響波を検出することにより得られた電気信号に基づいて生成された画像データを処理する処理装置であって、
前記第一の周波数感度特性および前記第二の周波数感度特性の合計である第三の周波数感度特性に基づいて作成された補正フィルタを取得し、
前記第一の音響波検出器から出力された第一の電気信号に基づいて生成された第一の画像データを取得し、
前記第二の音響波検出器から出力された第二の電気信号に基づいて生成された第二の画像データを取得し、
前記補正フィルタに基づいて、前記第一及び第二の画像データを補正することにより、補正された前記第一及び第二の画像データを生成する
ことを特徴とする処理装置である。
本発明はまた、以下の構成を採用する。すなわち、
第一の周波数感度特性を有する第一の音響波検出器と前記第一の周波数感度特性と異なる第二の周波数感度特性を有する第二の音響波検出器とによって、光が照射された被検体から発生する音響波を検出することにより得られた電気信号を処理する処理方法であって、
前記第一の周波数感度特性および前記第二の周波数感度特性の合計である第三の周波数感度特性に基づいて生成された補正関数を取得し、
前記補正関数に基づいて、前記第一の音響波検出器から出力された第一の電気信号及び前記第二の音響波検出器から出力された第二の電気信号を補正することにより、補正された前記第一及び第二の電気信号を生成する
ことを特徴とする処理方法である。
本発明はまた、以下の構成を採用する。すなわち、
第一の周波数感度特性を有する第一の音響波検出器と前記第一の周波数感度特性と異なる第二の周波数感度特性を有する第二の音響波検出器とによって、光が照射された被検体から発生する音響波を検出することにより得られた電気信号に基づいて生成された画像データを処理する処理方法であって、
前記第一の周波数感度特性および前記第二の周波数感度特性の合計である第三の周波数感度特性に基づいて作成された補正フィルタを取得し、
前記第一の音響波検出器から出力された第一の電気信号に基づいて生成された第一の画像データを取得し、
前記第二の音響波検出器から出力された第二の電気信号に基づいて生成された第二の画像データを取得し、
前記補正フィルタに基づいて、前記第一及び第二の画像データを補正することにより、補正された前記第一及び第二の画像データを生成する
ことを特徴とする処理方法である。